(57)【要約】【課題】タイヤ構造体内の応力および歪の影響を受け難い位置に電子部品を配置することにより、埋設された電子部品の機能を維持することが可能なタイヤを提供すること。【解決手段】ビードコア２１と、ビードコア２１のタイヤ径方向外側に延出するビードフィラー２２と、ビードコア２１の周りで折り返されたカーカスプライ２３と、ビードフィラー２２のタイヤ幅方向外側に配置されたパッド部材としての第１のパッド３５および第２のパッド３６と、を備えるタイヤであって、ビードフィラー２２と、第１のパッド３５および第２のパッド３６の間において、折り返されたカーカスプライ２３の折り返し端２５Ａを覆う態様で配置されている第１のゴムシート３７を備え、ＲＦＩＤタグ４０を被覆するゴムシート４３１、４３２が、第１のゴムシート３７のタイヤ径方向外側において、ビードフィラー２２、第１のパッド３５および第２のパッド３６の間に配置されている。【選択図】図１
2020055458.tif 000002
【特許請求の範囲】
【請求項１】
ビードコアと、前記ビードコアのタイヤ径方向外側に延出するビードフィラーと、前記ビードコアから他方のビードコアに延び、前記ビードコアの周りで折り返されたカーカスプライと、前記ビードフィラーのタイヤ幅方向外側に配置されたパッド部材と、を備えるタイヤであって、
前記ビードフィラーと前記パッド部材の間において、前記折り返されたカーカスプライの折り返し端を覆う態様で配置されている第１のゴムシートを備え、
電子部品を被覆する第２のゴムシートが、前記第１のゴムシートのタイヤ径方向外側において、前記ビードフィラーと前記パッド部材の間に配置されている、タイヤ。
【請求項２】
前記電子部品を被覆した前記第２のゴムシートは、前記第１のゴムシートのタイヤ径方向外側端から、前記ビードフィラーのタイヤ径方向外側端の間の領域に配置される、請求項１に記載のタイヤ。
【請求項３】
前記第１のゴムシートの厚みと、前記電子部品を被覆した前記第２のゴムシートにより形成される厚みは、向かい合う端部において、略同じ厚みである、請求項１または２に記載のタイヤ。
【請求項４】
前記第１のゴムシートと、前記第２のゴムシートは、リング状に形成されている、請求項１〜３のいずれか１項に記載のタイヤ。
【請求項５】
前記ビードコア周りで前記カーカスプライを覆うように配設された補強プライをさらに備え、
前記パッド部材は、
前記補強プライの端部のタイヤ径方向外側において、前記折り返されたカーカスプライの折り返し端のタイヤ幅方向外側を覆う第１のパッドと、
前記第１のパッドのタイヤ幅方向外側を覆う第２のパッドと、により構成されている、請求項１〜４のいずれか１項に記載のタイヤ。
【請求項６】
前記第１のゴムシートは、タイヤ幅方向内側から、前記折り返されたカーカスプライの折り返し端を覆う態様で配置されている、請求項１〜５のいずれか１項に記載のタイヤ。
【請求項７】
請求項６に記載のタイヤを製造する製造方法であって、
前記ビードフィラーに前記第１のゴムシートを貼り付ける工程と、
前記第１のゴムシートが貼り付けられている前記ビードフィラーに、前記第１のゴムシートの貼り付け位置を基準として、前記電子部品を被覆した前記第２のゴムシートを貼り付ける工程と、を含むタイヤの製造方法。
【発明の詳細な説明】
【技術分野】
【０００１】
本発明は、電子部品が埋設されたタイヤに関する。
【背景技術】
【０００２】
従来、ゴム構造体内にＲＦＩＤ等の電子部品を埋設したタイヤが知られている。このようなタイヤは、タイヤに埋設されたＲＦＩＤタグと、外部機器としてのリーダとが通信を行うことにより、タイヤの製造管理、使用履歴管理等を行うことができる。
例えば特許文献１には、異なる２つの物体の境界面に電子部品を配置したタイヤが示されている。この電子部品が配置されている２つの物体の境界面は、カーカスプライの自由縁から延長する面となっている。
【先行技術文献】
【特許文献】
【０００３】
【特許文献１】特開２００８−２６５７５０号公報
【発明の概要】
【発明が解決しようとする課題】
【０００４】
特許文献１に示される技術においては、電子部品が配置されている２つの物体の境界面が、カーカスプライの自由縁から延長する面となっているが、この部分は、タイヤが変形した際において、応力および歪が発生しやすい。したがって、この部分に配置された電子部品は、タイヤが変形した際において応力および歪の影響を受けて、電子部品としての機能を保てなくなる可能性がある。
【０００５】
本発明は、上記課題に鑑みてなされたものであり、その目的は、タイヤ構造体内の応力および歪の影響を受け難い位置に電子部品を配置することにより、埋設された電子部品の機能を保つことができるタイヤを提供することにある。
【課題を解決するための手段】
【０００６】
（１）本発明のタイヤ（例えば、タイヤ１）は、ビードコア（例えば、ビードコア２１）と、前記ビードコアのタイヤ径方向外側に延出するビードフィラー（例えば、ビードフィラー２２）と、前記ビードコアから他方のビードコアに延び、前記ビードコアの周りで折り返されたカーカスプライ（例えば、カーカスプライ２３）と、前記ビードフィラーのタイヤ幅方向外側に配置されたパッド部材（例えば、パッド部材３４）と、を備えるタイヤであって、前記ビードフィラーと前記パッド部材の間において、前記折り返されたカーカスプライの折り返し端（例えば、折り返し端２５Ａ）を覆う態様で配置されている第１のゴムシート（例えば、第１のゴムシート３７）を備え、電子部品（例えば、ＲＦＩＤタグ４０）を被覆する第２のゴムシート（例えば、ゴムシート４３１、４３２）が、前記第１のゴムシートのタイヤ径方向外側において、前記ビードフィラーと前記パッド部材の間に配置されている。
【０００７】
（２）（１）のタイヤにおいて、前記電子部品を被覆した前記第２のゴムシートは、前記第１のゴムシートのタイヤ径方向外側端（例えば、タイヤ径方向外側端３７Ａ）から、前記ビードフィラーのタイヤ径方向外側端（例えば、タイヤ径方向外側端２２Ａ）の間の領域に配置されていてもよい。
【０００８】
（３）（１）または（２）のタイヤにおいて、前記第１のゴムシートの厚みと、前記電子部品を被覆した前記第２のゴムシートにより形成される厚みは、向かい合う端部において、略同じ厚みであってもよい。
【０００９】
（４）（１）〜（３）のタイヤにおいて、前記第１のゴムシートと、前記第２のゴムシートは、リング状に形成されていてもよい。
【００１０】
（５）（１）〜（４）のタイヤにおいて、前記ビードコア周りで前記カーカスプライを覆うように配設された補強プライ（例えば、スチールチェーハー３１）をさらに備え、前記パッド部材は、前記補強プライの端部（端部３１Ａ）のタイヤ径方向外側において、前記折り返されたカーカスプライの折り返し端のタイヤ幅方向外側を覆う第１のパッド（例えば、第１のパッド３５）と、前記第１のパッドのタイヤ幅方向外側を覆う第２のパッド（例えば、第２のパッド３６）と、により構成されていてもよい。
【００１１】
（６）（１）〜（５）のタイヤにおいて、前記第１のゴムシートは、タイヤ径方向内側から、前記折り返されたカーカスプライの折り返し端を覆う態様で配置されていてもよい。
【００１２】
（７）（６）のタイヤを製造する製造方法であって、前記ビードフィラーに前記第１のゴムシートを貼り付ける工程と、前記第１のゴムシートが貼り付けられている前記ビードフィラーに、前記第１のゴムシートの貼り付け位置を基準として、前記電子部品を被覆した前記第２のゴムシートを貼り付ける工程と、を含むタイヤの製造方法。
【発明の効果】
【００１３】
本発明によれば、タイヤ構造体内の応力および歪の影響を受け難い位置に電子部品を配置することにより、埋設された電子部品の機能を維持することが可能なタイヤを提供することができる。
【図面の簡単な説明】
【００１４】
【図１】本発明の第１実施形態に係るタイヤのタイヤ幅方向の半断面を示す図である。
【図２】本発明の第１実施形態に係るタイヤの部分拡大断面図である。
【図３】本発明の第１実施形態のタイヤに荷重負荷を与えた場合の、歪エネルギーの面内分布シミュレーションの結果を示す図である。
【図４Ａ】本発明の第１実施形態に係るタイヤにおける、保護部材によって保護された、ＲＦＩＤタグを示す図である。
【図４Ｂ】図４Ａのｂ−ｂ断面を示す図である。
【図４Ｃ】図４Ａのｃ−ｃ断面を示す図である。
【図５】本発明の第１実施形態に係るタイヤにおいて、第１のゴムシートと、保護部材に保護されたＲＦＩＤタグを、ビードフィラーに貼り付けた状態を示す図である。
【図６】保護部材の変形例を示す図である。
【図７】スプリングアンテナ内にゴムを充填しない場合における、ＲＦＩＤタグをゴムシートで挟み込む前の断面を示す図である。
【図８】スプリングアンテナ内にゴムを充填しない場合における、ＲＦＩＤタグをゴムシートで挟み込んだ後の断面を示す図である。
【図９】スプリングアンテナ内にゴムを充填しない場合における、ＲＦＩＤタグをゴムシートで挟み込んだ後の断面を示す図である。
【図１０】本発明の第２実施形態に係るタイヤにおける、スプリングアンテナ内にゴムを充填する前のＲＦＩＤタグを示す図である。
【図１１】本発明の第２実施形態に係るタイヤにおける、スプリングアンテナ内にゴムを充填した後のＲＦＩＤタグを示す図である。
【図１２】本発明の第２実施形態に係るタイヤにおける、ゴムシートで挟み込まれる前のＲＦＩＤタグを示す図である。
【図１３】本発明の第２実施形態に係るタイヤにおける、ゴムシートで挟み込まれたＲＦＩＤタグを示す図である。
【発明を実施するための形態】
【００１５】
＜第１実施形態＞
以下、本発明の第１実施形態について、図面を参照しながら説明する。
図１は、本実施形態に係るタイヤ１のタイヤ幅方向の半断面を示す図である。タイヤの基本的な構造は、タイヤ幅方向の断面において左右対称となっているため、ここでは、右半分の断面図を示す。図中、符号Ｓ１は、タイヤ赤道面である。タイヤ赤道面Ｓ１は、タイヤ回転軸に直交する面で、かつタイヤ幅方向中心に位置する面である。
ここで、タイヤ幅方向とは、タイヤ回転軸に平行な方向であり、図１の断面図における紙面左右方向である。図１においては、タイヤ幅方向Ｘとして図示されている。
そして、タイヤ幅方向内側とは、タイヤ赤道面Ｓ１に近づく方向であり、図１においては、紙面左側である。タイヤ幅方向外側とは、タイヤ赤道面Ｓ１から離れる方向であり、図１においては、紙面右側である。
また、タイヤ径方向とは、タイヤ回転軸に垂直な方向であり、図１における紙面上下方向である。図１においては、タイヤ径方向Ｙとして図示されている。
そして、タイヤ径方向外側とは、タイヤ回転軸から離れる方向であり、図１においては、紙面上側である。タイヤ径方向内側とは、タイヤ回転軸に近づく方向であり、図１においては、紙面下側である。
図２についても同様である。
【００１６】
タイヤ１は、例えばトラック、バス用のタイヤであり、タイヤ幅方向両側に設けられた一対のビード１１と、路面との接地面を形成するトレッド１２と、一対のビード１１とトレッド１２との間を延びる一対のサイドウォール１３とを備える。
【００１７】
ビード１１は、ゴムが被覆された金属製のビードワイヤを複数回巻いて形成した環状のビードコア２１と、ビードコア２１のタイヤ径方向外側に延出している、先細り形状のビードフィラー２２とを備える。ビードフィラー２２は、ビードコア２１の外周を覆う第１ビードフィラー２２１と、第１ビードフィラー２２１のタイヤ径方向外側に配置されている第２ビードフィラー２２２とにより構成されている。第２ビードフィラー２２２は、後述するインナーライナー２９、サイドウォールゴム３０よりも高いモジュラスのゴムにより構成されている。そして、第１ビードフィラー２２１は、第２ビードフィラー２２２よりもさらに高いモジュラスのゴムにより構成されている。なお、第１ビードフィラー２２１は、少なくともその一部がビードコア２１のタイヤ径方向外側に配置されていれば、ビードコア２１の外周を覆っていない態様であってもよい。また、ビードフィラー２２は、一つの種類のゴムから形成されていてもよい。すなわち、第１ビードフィラー２２１と第２ビードフィラー２２２とに分かれていなくてもよい。
ビードコア２１は、空気が充填されたタイヤを、図示しないホイールのリムに固定する役目を果たす部材である。ビードフィラー２２は、ビード周辺部の剛性を高め、高い操縦性および安定性を確保するために設けられている部材である。
【００１８】
タイヤ１の内部には、タイヤの骨格となるプライを構成するカーカスプライ２３が埋設されている。カーカスプライ２３は、一方のビードコアから他方のビードコアに延びている。すなわち、一対のビードコア２１間を、一対のサイドウォール１３およびトレッド１２を通過する態様で、タイヤ１内に埋設されている。
図１に示されるように、カーカスプライ２３は、一方のビードコアから他方のビードコアに延び、トレッド１２とビード１１との間を延在するプライ本体２４と、ビードコア２１の周りで折り返されているプライ折り返し部２５とを備える。ここで、プライ折り返し部２５の折り返し端２５Ａは、ビードフィラー２２のタイヤ径方向外側端２２Ａよりもタイヤ径方向内側に位置している。
カーカスプライ２３は、タイヤ幅方向に延びる複数のプライコードにより構成されている。また、複数のプライコードは、タイヤ周方向に並んで配列されている。
このプライコードは、金属製のスチールコード、あるいはポリエステルやポリアミド等の絶縁性の有機繊維コード等により構成されており、ゴムにより被覆されている。
【００１９】
トレッド１２において、カーカスプライ２３のタイヤ径方向外側には、複数層のスチールベルト２６が設けられている。スチールベルト２６は、ゴムで被覆された複数のスチールコードにより構成されている。スチールベルト２６を設けることにより、タイヤの剛性が確保され、トレッド１２と路面の接地状態が良くなる。本実施形態においては、４層のスチールベルト２６が設けられているが、積層されるスチールベルト２６の枚数はこれに限らない。
【００２０】
スチールベルト２６のタイヤ径方向外側には、トレッドゴム２８が設けられている。トレッドゴム２８の外表面には、図示しないトレッドパターンが設けられており、この外表面が、路面と接触する接地面となる。
【００２１】
トレッド１２のタイヤ幅方向外側付近において、カーカスプライ２３と、スチールベルト２６およびトレッドゴム２８との間の領域には、ショルダーパッド３８が設けられている。このショルダーパッド３８は、サイドウォール１３のタイヤ径方向外側領域まで延出しており、その一部は、後述のサイドウォールゴム３０との間で界面を形成している。すなわち、サイドウォール１３のタイヤ径方向外側領域において、サイドウォールゴム３０のタイヤ幅方向内側に、ショルダーパッド３８の一部が存在している。
ショルダーパッド３８はクッション性を有するゴム部材からなり、カーカスプライ２３とスチールベルト２６との間において、クッション機能を発揮する。また、ショルダーパッド３８は低発熱性の特性を有するゴムからなるため、サイドウォール１３まで延出させることにより、効果的に発熱を抑制することができる。
【００２２】
ビード１１、サイドウォール１３、トレッド１２において、カーカスプライ２３のタイヤ内腔側には、タイヤ１の内壁面を構成するゴム層としてのインナーライナー２９が設けられている。インナーライナー２９は、耐空気透過性ゴムにより構成されており、タイヤ内腔内の空気が外部に漏れるのを防ぐ。
【００２３】
サイドウォール１３において、カーカスプライ２３のタイヤ幅方向外側には、タイヤ１の外壁面を構成するサイドウォールゴム３０が設けられている。このサイドウォールゴム３０は、タイヤがクッション作用をする際に最もたわむ部分であり、通常、耐疲労性を有する柔軟なゴムが採用される。
【００２４】
ビード１１のビードコア２１周りに設けられたカーカスプライ２３のタイヤ径方向内側には、カーカスプライ２３の少なくとも一部を覆うように補強プライとしてのスチールチェーハー３１が設けられている。スチールチェーハー３１は、カーカスプライ２３のプライ折り返し部２５のタイヤ幅方向外側にも延在しており、そのスチールチェーハー３１の端部３１Ａは、プライ折り返し部２５の折り返し端２５Ａよりもタイヤ径方向内側に位置している。
このスチールチェーハー３１は、金属製のスチールコードにより構成された金属補強層であり、ゴムにより被覆されている。
【００２５】
スチールチェーハー３１のタイヤ径方向内側には、リムストリップゴム３２が設けられている。このリムストリップゴム３２は、タイヤの外表面に沿って配置されており、サイドウォールゴム３０と連接している。このリムストリップゴム３２とサイドウォールゴム３０は、タイヤの外表面を構成しているゴム部材である。
【００２６】
そして、スチールチェーハー３１の端部３１Ａのタイヤ径方向外側であって、カーカスプライ２３の折り返し部２５およびビードフィラー２２のタイヤ幅方向外側には、第１のパッド３５が設けられている。この第１のパッド３５は、少なくともプライ折り返し部２５の折り返し端２５Ａのタイヤ幅方向外側を覆うように設けられている。第１のパッド３５のタイヤ径方向外側は、タイヤ径方向外側に向かうほど、先細りとなるように形成されている。
【００２７】
さらに、第１のパッド３５のタイヤ幅方向外側を覆うように、第２のパッド３６が設けられている。より詳細には、スチールチェーハー３１の一部、第１のパッド３５、第２ビードフィラー２２２の一部、カーカスプライ２３のプライ本体２４の一部のタイヤ幅方向外側を覆うように、第２のパッド３６が設けられている。
そして、第２のパッド３６のタイヤ径方向外側領域におけるタイヤ幅方向外側には、サイドウォールゴム３０が配置されており、第２のパッド３６のタイヤ径方向内側領域におけるタイヤ幅方向外側には、リムストリップゴム３２が配置されている。
換言すると、第２のパッド３６は、第１のパッド３５等と、タイヤの外表面を構成する部材であるリムストリップゴム３２およびサイドウォールゴム３０との間に設けられている。
【００２８】
ここで、第１のパッド３５および第２のパッド３６は、これらの部材が接触しているビードフィラー（第２ビードフィラー２２２）のモジュラスよりも高いモジュラスのゴムにより構成されている。
より詳細には、第２のパッド３６は、第２ビードフィラー２２２よりも高いモジュラスのゴムにより構成されており、第１のパッド３５は、第２のパッド３６よりもさらに高いモジュラスのゴムにより構成されている。第１のパッド３５、第２のパッド３６は、カーカスプライ２３の折り返し端２５Ａおよびスチールチェーハー３１の端部３１Ａにおける局所的な剛性の変化点に起因する急激な歪みを緩和する機能を有する。
【００２９】
第１のパッド３５のタイヤ幅方向内側には、プライ折り返し部２５の折り返し端２５Ａ付近において、第１のゴムシート３７が配置されている。第１のゴムシート３７は、少なくともプライ折り返し部２５の折り返し端２５Ａをタイヤ幅方向内側から覆うように配置されている。
【００３０】
一般に、プライ折り返し部２５の折り返し端２５Ａは、応力が集中しやすい。しかしながら、上述の第１のパッド３５、第２のパッド３６を設け、さらに第１のゴムシート３７を配置することにより、応力の集中を効果的に抑えることが可能となる。なお、パッド部材３４は、上述の第１のパッド３５および第２のパッド３６によって構成することが、歪の影響を緩和する上で好ましい。
なお、第１のゴムシート３７は、図１に示されるように、プライ折り返し部２５の折り返し端２５Ａを、タイヤ幅方向内側から覆うように配置する態様を採用することが好ましいが、プライ折り返し部２５の折り返し端２５Ａを、タイヤ幅方向外側から覆う構成を採用しても、同様の効果を有する。
【００３１】
本実施形態のタイヤ１には、電子部品としての、ＲＦＩＤタグ４０が埋設されている。
ＲＦＩＤタグ４０は、ＲＦＩＤチップと、外部機器と通信を行うためのアンテナとを備えた、パッシブ型のトランスポンダであり、外部機器としての図示しないリーダとの間で無線通信を行う。アンテナとしては、コイル状のスプリングアンテナ、板状のアンテナ、棒状の各種のアンテナが用いられる。例えば、フレキシブル基板に対して所定のパターンをプリントすることによって形成したアンテナであってもよい。アンテナは、使用する周波数帯域等に応じて、最適化されたアンテナ長さに設定されている。ＲＦＩＤチップ内の記憶部には、製造番号、部品番号等の識別情報が格納されている。
【００３２】
図２は、図１のタイヤ１における、ＲＦＩＤタグ４０の埋設部周辺を示す拡大断面図である。
図１、２に示されるように、ＲＦＩＤタグ４０は、第１のゴムシート３７のタイヤ径方向外側において、ビードフィラー２２と、ビードフィラー２２のタイヤ幅方向外側に配置されたパッド部材３４との間に配置されている。本実施形態においては、ビードフィラー２２のタイヤ幅方向外側に配置されたパッド部材３４は、第１のパッド３５および第２のパッド３６により構成されている。
ここで、ＲＦＩＤタグ４０は、後述する保護部材としてのゴムシートに被覆されている。ゴムシートに被覆されたＲＦＩＤタグ４０は、図１、２に示されるように、第１のゴムシート３７のタイヤ径方向外側端３７Ａから、ビードフィラー２２のタイヤ径方向外側端２２Ａの間の領域に配置されている。
【００３３】
なお、第２のパッド３６のモジュラスを基準とすると、サイドウォールゴム３０は、第２のパッド３６の０．４〜０．６倍のモジュラスとすることが好ましい。また、第１のパッド３５は、第２のパッド３６の１．１倍〜１．２倍のモジュラスとすることが好ましい。また、第２ビードフィラー２２２は第２のパッドの０．７〜０．８倍のモジュラスとすることが好ましい。このようなモジュラスとすることで、タイヤとしての柔軟性とビード１１付近の剛性のバランスを保つことができる。
なお、モジュラスは、ＪＩＳ  Ｋ６２５１：２０１０の「３．７  所定伸び引張り応力（ｓｔｒｅｓｓ  ａｔ  ａ  ｇｉｖｅｎ  ｅｌｏｎｇａｔｉｏｎ），Ｓ」に準拠して測定された、２３℃の雰囲気下における１００％伸長モジュラス（Ｍ１００）を指す。
【００３４】
前述のとおり、通常、２つ物体の境界面が、カーカスプライ２３の折り返し端２５Ａから延長する面である場合、その面は歪が生じやすい。しかしながら、本実施形態においては、ビードフィラー２２と、ビードフィラー２２のタイヤ幅方向外側に配置されたパッド部材３４の間において、第１のゴムシート３７が、カーカスプライ２３の折り返し端２５Ａを覆う態様で配置されているため、第１のゴムシート３７のタイヤ径方向外側は、歪の影響を受けにくい部分となっている。
【００３５】
図３は、本実施形態のタイヤ１をリムに組み付け、１００％荷重負荷を与えた場合の、歪エネルギーの面内分布シミュレーションの結果を示す図である。
図３に示される拡大断面図においては、歪エネルギーの大きさに応じて、領域を５つに分けて表示している。ここで、歪エネルギーが最も高い領域はレベル５、歪エネルギーが高い領域はレベル４、歪エネルギーがやや下がる領域はレベル３、歪エネルギーがさらに下がる領域はレベル２、歪エネルギーが最も下がる領域はレベル１としている。図３においては、太い点線を境界に、領域を分けて表示している。
【００３６】
第１のゴムシート３７のタイヤ径方向外側における、ビードフィラー２２と、ビードフィラー２２のタイヤ幅方向外側に配置されたパッド部材３４との境界面は、概ねレベル２の領域となっており、歪エネルギーが少ない。よって、ＲＦＩＤタグ４０を配置する上で、好ましい領域となっている。
また、この位置は、タイヤ１の外表面からある程度離れた位置であるため、外傷に対する影響も受けにくい。さらに、タイヤ幅方向外側が、弾性率の高い第２のパッド３６に保護されるため、この点からも、外傷に対する影響を受けにくい。
【００３７】
ここで、ＲＦＩＤタグ４０は、第２のゴムシート４３を構成するゴムシート４３１、４３２によって被覆されている。すなわち、本実施形態においては、第２のゴムシート４３は、２枚のゴムシート４３１、４３２によって構成されている。
この点について、図４Ａ〜４Ｃを参照しながら説明する。
図４Ａは、第２のゴムシートとしての保護部材４３によって被覆された、ＲＦＩＤタグ４０を示す図である。図４Ａでは、ＲＦＩＤタグ４０は後述するゴムシート４３１に覆われて隠れている。図４Ｂは図４Ａのｂ−ｂ断面図、図４Ｃは図４Ａのｃ−ｃ断面図である。
本実施形態においては、図４Ａ〜４Ｃに示されるように、ＲＦＩＤタグ４０は保護部材４３により被覆されている。
【００３８】
ＲＦＩＤタグ４０は、ＲＦＩＤチップ４１と、外部機器と通信を行うためのアンテナ４２とを備えている。アンテナ４２としては、コイル状のスプリングアンテナ、板状のアンテナ、棒状の各種のアンテナが用いられる。通信性をおよび柔軟性を考慮すると、コイル状のスプリングアンテナが最も好ましい。
【００３９】
保護部材４３は、ＲＦＩＤタグ４０を挟み込んで保護する２枚のゴムシート４３１、４３２により構成されている。
【００４０】
保護部材４３は、例えば所定のモジュラスのゴムにより構成されている。
【００４１】
保護部材４３に採用するゴムとしては、少なくともサイドウォールゴム３０よりもモジュラスが高いゴムを用いる。例えば、第２ビードフィラー２２２よりもモジュラスが高く、パッド部材３４よりもモジュラスが低いゴムを用いる。
【００４２】
例えば、保護部材４３に用いられるゴムとしては、サイドウォールゴム３０のモジュラスを基準として、その１．１倍〜１．８倍のモジュラスのゴムを用いることがより好ましい。このとき、第２のパッド３６のゴムとしては、サイドウォールゴムの１．６〜３倍のモジュラスのゴム、例えば２倍程度のモジュラスのゴムを用いてもよい。
なお、ＲＦＩＤタグ４０の保護の強化を重視すれば、保護部材４３に用いられるゴムとして、第２のパッド３６よりも高いモジュラスのゴムを採用してもよい。
【００４３】
なお、図１〜２に示されるように、ＲＦＩＤタグ４０は、ビードフィラー２２とパッド部材３４の間の領域に配置されている。そこで、保護部材４３のモジュラスを、ビードフィラー２２よりもモジュラスが高く、かつパッド部材３４よりもモジュラスが低い値に設定することにより、タイヤが変形した場合において、ＲＦＩＤタグ４０埋設部においてゴム構造体内に過度な応力が発生することを防ぐことができる。すなわち、応力の発生を抑制することができる。
【００４４】
また、保護部材４３を、短繊維フィラー混合ゴムにより構成してもよい。短繊維フィラーとしては、例えば、アラミド短繊維やセルロース短繊維といった有機短繊維、アルミナ短繊維等のセラミックス短繊維やガラス短繊維といった無機短繊維のような、絶縁性の短繊維を用いることができる。ゴムにこのような短繊維フィラーを混合することにより、ゴムの強度を高めることができる。
また、保護部材４３として、加硫後の状態のゴムシートを用いてもよい。加硫後の状態のゴムシートは、生ゴムのように塑性変形しないため、ＲＦＩＤタグ４０を適切に保護することができる。
【００４５】
また、保護部材４３として、ポリエステル繊維やポリアミド繊維等による有機繊維層を設けてもよい。２枚のゴムシート４３１、４３２に、有機繊維層を埋設することも可能である。
【００４６】
ここで、第１のゴムシート３７の厚みと、ＲＦＩＤタグ４０を被覆した２枚のゴムシート４３１、４３２によって形成される被覆後の厚みは、向かい合う端部において、図１、２に示されるように、略同じ厚みとすることが好ましい。
略同じ厚みとすることで、この部分において段差がなくなる。これにより、空気の混入を抑えることができ、タイヤ出来上がり時の品質が向上する。
【００４７】
図５は、製造工程中のビードフィラー２２を、タイヤ幅方向外側から見たときの図であり、第１のゴムシート３７と、保護部材４３に保護されたＲＦＩＤタグ４０を、ビードフィラー２２に貼り付けた状態を示す図である。図５に示されるように、ビード１１を構成するビードフィラー２２、第１のゴムシート３７はそれぞれリング状である。換言すると、ビード１１を構成するビードフィラー２２、第１のゴムシート３７はそれぞれ中空円盤状である。
【００４８】
ＲＦＩＤタグ４０は、タイヤの製造工程において、加硫工程の前に取り付けられている。本実施形態においては、図５に示されるように、加硫される前のビードフィラー２２に、第１のゴムシート３７を貼り付け、その後、第１のゴムシート３７の貼り付け位置を基準として、ＲＦＩＤタグ４０を被覆したゴムシート４３１または４３２を貼り付ける。このとき、ビードフィラー２２、第１のゴムシート３７、ＲＦＩＤタグ４０を被覆したゴムシート４３１、４３２は、加硫前の生ゴムの状態であるため、その粘着性を利用して、貼り付けることができる。あるいは、粘着性が低い場合などにおいては、接着剤等を用いて貼り付けてもよい。ゴムシート４３１または４３２を貼り付けた後、ビードフィラー２２と、パッド部材３４とによって、ゴムシート４３１および４３２を挟み込む。その後、ＲＦＩＤタグ４０を含む各構成部材が組み付けられた生タイヤを、加硫工程において加硫し、タイヤを製造する。
【００４９】
なお、第１のゴムシート３７は、生タイヤ組み付け後において、カーカスプライ２３の折り返し端２５Ａを全周に亘って覆う態様となるように、リング状に形成されている。
【００５０】
なお、パッド部材３４に、第１のゴムシート３７を貼り付け、その後、第１のゴムシートの貼り付け位置を基準として、ＲＦＩＤタグ４０を被覆したゴムシート４３１または４３２をパッド部材３４に貼り付け、その後、ビードフィラー２２により挟み込む態様としてもよい。
【００５１】
このように、本実施形態においては、タイヤ製造時において、生ゴム状態のゴムを用いてＲＦＩＤタグ４０を貼り付けることができるため、タイヤの製造工程におけるＲＦＩＤタグ４０の組み付け作業が容易である。特に、ビードフィラー２２は、生ゴム状態であってもある程度の剛性を有しているため、ＲＦＩＤタグ４０の取り付け作業が容易である。
【００５２】
また、保護部材４３を、２枚のゴムシートによって構成すれば、保護部材４３を含むＲＦＩＤタグ４０を薄く形成できるので、タイヤ１に埋設する上で好適である。また、加硫前のタイヤ１の構成部材にＲＦＩＤタグ４０を組み付けるときにおいて、ゴムシートによって被覆されたＲＦＩＤタグ４０は、非常に簡便に装着することができる。
例えば、加硫前のビードフィラー２２といった部材の所望の位置に、ゴムシートによって被覆されたＲＦＩＤタグ４０を、生ゴムの粘着性を利用して適切に貼り付けることができる。また、ゴムシート４３１、４３２も加硫前の生ゴムとすることにより、ゴムシート自身の粘着性も用いて、より簡便に貼り付けることができる。
【００５３】
ただし、保護部材４３は、２枚のゴムシートによって構成される態様に限らず、種々の態様を採用することができる。例えば、保護部材を構成するゴムシートは、ＲＦＩＤタグ４０の少なくとも一部を覆っていれば、製造工程における作業性の向上や応力緩和などの効果が得られる。
また、例えば、ＲＦＩＤタグ４０の全周に亘って１枚のゴムシートを巻き付ける構成や、ＲＦＩＤタグ４０の全周に亘って、粘度の高いポッティング剤の態様の保護部材を付着させた構成であってもよい。このような構成であっても、ＲＦＩＤタグ４０を適切に保護することができる。
【００５４】
なお、保護部材４３に被覆されたＲＦＩＤタグ４０は、その長手方向が、タイヤの周方向に対して接線の方向、すなわち図１〜２の断面図において紙面に直交する方向となるように、タイヤに埋設されている。また、ゴムシート４３１、４３２は、タイヤ幅方向に並ぶような態様で、タイヤに埋設される。すなわち、製造工程において、ゴムシート４３１、４３２のいずれか一方の一面が、加硫前のタイヤの構成部材、例えばビードフィラー２２に貼り付けられる。
このような態様とすることで、タイヤが変形したときにおいても、ＲＦＩＤタグ４０に応力がかかりにくい。また、製造工程において、保護部材４３に被覆されたＲＦＩＤタグ４０を取り付ける作業が簡便となる。
【００５５】
ここで、ＲＦＩＤタグ４０の取り付け工程においては、リング状の第１のゴムシート３７の外周を基準とすることにより、保護部材４３に被覆されたＲＦＩＤタグ４０を上述の方向に簡単に配置することができる。すなわち、図５に示されるように、リング状の第１のゴムシート３７の外周に沿って、ＲＦＩＤタグ４０を被覆したゴムシート４３１、４３２を貼り付ける。このとき、図５に示されるように、生ゴムによって形成されたゴムシート４３１、４３２を、第１のゴムシート３７の外周に沿うように変形させながら貼り付けることも可能である。ＲＦＩＤタグ４０のアンテナとして、柔軟なコイル状のスプリングアンテナなどを用いて、ゴムシート４３１、４３２の変形に追従して、アンテナも変形するような態様としてもよい。
あるいは、リング状の第１のゴムシート３７の外周を基準として、ＲＦＩＤタグ４０を被覆したゴムシート４３１、４３２の長手方向を、リング状の第１のゴムシート３７の外周の接線方向と略一致するように貼り付けてもよい。
この方法により、特別な目印を付与することもなく、保護部材４３に被覆されたＲＦＩＤタグ４０を上述の方向に簡単かつ正確に配置することができる。また、タイヤ出来上がり時のビードの厚みも安定し、製造上のバラツキも低減する。
【００５６】
さらに、図６に示されるように、第１のゴムシート３７と、保護部材を形成するゴムシート４３１、４３２を、リング状に形成してもよい。これにより、組み付け時に空気の混入を抑えることができ、タイヤ出来上がり時の品質を向上させることができる。
【００５７】
なお、本実施形態においては、電子部品として、ＲＦＩＤタグ４０がタイヤに埋設されているが、タイヤに埋設される電子部品は、ＲＦＩＤタグに限らない。例えば、無線通信を行うセンサ等の各種の電子部品であってもよい。また、電子部品は、電気信号の送受信等、電気的な情報を扱うことから、近傍に金属部品が存在することにより性能が低下する可能性がある。また、電子部品は、過度な応力がかかることにより、破損する可能性がある。よって、種々の電子部品をタイヤに埋設する場合においても、本発明の効果を得ることができる。例えば電子部品は、圧電素子や、歪センサであってもよい。
【００５８】
本実施形態のタイヤ１によれば、以下の効果を奏する。
【００５９】
（１）本実施形態に係るタイヤ１は、ビードフィラー２２とパッド部材３４の間において、折り返されたカーカスプライの折り返し端２５Ａを覆う態様で配置されている第１のゴムシート３７を備え、ＲＦＩＤタグ４０を被覆するゴムシート４３１、４３２が、第１のゴムシート３７のタイヤ径方向外側において、ビードフィラー２２とパッド部材３４の間に配置されている。
これにより、ＲＦＩＤタグ４０は、過度な歪の影響を受けることもなく、その機能を保つことができる。
【００６０】
（２）本実施形態に係るタイヤ１は、ＲＦＩＤタグ４０を被覆したゴムシート４３１、４３２は、第１のゴムシート３７のタイヤ径方向外側端３７Ａから、ビードフィラー２２のタイヤ径方向外側端２２Ａの間の領域に配置されている。
これにより、ＲＦＩＤタグ４０は、より歪の影響を受けにくくなる。
【００６１】
（３）本実施形態に係るタイヤ１は、第１のゴムシート３７の厚みと、ＲＦＩＤタグ４０を被覆して形成されたゴムシート４３１、４３２の厚みは、向かい合う端部において、略同じ厚みである。
これにより、組み付け時に空気の混入を抑えることができ、タイヤ出来上がり時の品質が向上する。
【００６２】
（４）本実施形態に係るタイヤ１は、第１のゴムシート３７と、ゴムシート４３１、４３２が、リング状に形成されている。
これにより、組み付け時に空気の混入を抑えることができ、タイヤ出来上がり時の品質が向上する。
【００６３】
（５）本実施形態に係るタイヤ１は、ビードコア２１周りでカーカスプライ２３を覆うように配設されたスチールチェーハー３１をさらに備え、パッド部材３４は、スチールチェーハー３１の端部３１Ａのタイヤ径方向外側において、折り返されたカーカスプライ２３の折り返し端２５Ａのタイヤ幅方向外側を覆う第１のパッド３５と、第１のパッド３５のタイヤ幅方向外側を覆う第２のパッド３６と、により構成されている。
これにより、ビードフィラー２２とパッド部材３４の間の境界面において発生する歪の量を抑制している。
【００６４】
（６）本実施形態に係るタイヤ１は、第１のゴムシート３７が、タイヤ径方向内側から、折り返されたカーカスプライ２３の折り返し端２５Ａを覆う態様で配置されている。
これにより、ビードフィラー２２とパッド部材３４の間の境界面において発生する歪の量を抑制している。
【００６５】
（７）本実施形態に係るタイヤ１の製造方法は、ビードフィラー２２に第１のゴムシート３７を貼り付ける工程と、第１のゴムシート３７が貼り付けられているビードフィラー２２に、第１のゴムシート３７の貼り付け位置を基準として、ＲＦＩＤタグ４０を被覆したゴムシート４３１、４３２を貼り付ける工程と、を含む。
これにより、特別な目印を付与することもなく、保護部材４３に被覆されたＲＦＩＤタグ４０を上述の方向に簡単かつ正確に配置することができる。また、タイヤ出来上がり時のビードの厚みも安定し、製造上のバラツキも低減する。
【００６６】
＜第２実施形態＞
次に、第２実施形態に係るタイヤについて、図７〜１３を参照しながら説明する。なお、以下の説明において、第２実施形態と同じ構成については、同じ符号を付し、また詳細な説明を省略する。
本実施形態は、ＲＦＩＤタグ４０のアンテナが、コイル状のスプリングアンテナである場合に特に好適な実施形態である。
【００６７】
本実施形態のＲＦＩＤタグ４０は、アンテナとして、通信性および柔軟性の高いコイル状のスプリングアンテナ４２１が用いられている。スプリングアンテナ４２１は、使用する周波数帯域等に応じて、最適化されたアンテナ長さに設定されている。
【００６８】
本実施形態においては、保護部材４３を構成する２枚のゴムシート４３１、４３２でＲＦＩＤタグ４０を挟み込む前に、スプリングアンテナ４２１内にゴムを配置する。より好ましくは、空気がなるべく残らないように、スプリングアンテナ内にゴムを充填する。図７〜１３を用いて、その工程およびその工程を採用する理由を説明する。
【００６９】
まず、図７〜図９を用いて、参考例として、スプリングアンテナ４２１内にゴムを充填しない場合における、ＲＦＩＤタグ４０周辺の状態について説明する。図７は、ＲＦＩＤタグ４０をゴムシート４３１、４３２で挟み込む前の、スプリングアンテナ４２１、ゴムシート４３１、４３２の断面を示す図である。図８は、ＲＦＩＤタグ４０をゴムシート４３１、４３２で挟み込んだ後の、スプリングアンテナ４２１、ゴムシート４３１、４３２の断面を示す図である。
【００７０】
図８に示されるように、この参考例においては、スプリングアンテナ４２１内に予めゴムが充填されていないため、ゴムシート４３１、４３２で挟み込んだ後において、スプリングアンテナ４２１内に空気４５がある程度残ってしまう場合がある。このように空気が残ってしまうと、ゴムシート４３１、４３２とスプリングアンテナ４２１との一体性が不十分となり、タイヤが変形したときに、ゴムの動きにスプリングアンテナ４２１が追従せず、スプリングアンテナ４２１を有するＲＦＩＤタグ４０が破損するおそれがある。
【００７１】
なお、ここではゴムシート４３１、４３２として、加硫前の生ゴムを使用している。よって、ゴムシート４３１、４３２を両側から押しつけることにより、図８に示されるように、スプリングアンテナ内にゴムシート４３１、４３２がある程度はめり込んでいる。しかしながら、スプリングアンテナ内が完全に埋まるまでゴムシート４３１、４３２をめり込ませるためには、非常に多くの時間と手間がかかる。
【００７２】
そして、仮に時間をかけてスプリングアンテナ内が埋まるまでゴムシートをめり込ませた場合であっても、図９に示されるように、スプリングアンテナ４２１の外周部と、ゴムシート４３１、４３２の外表面との距離Ｌが非常に短くなる。また、その距離Ｌを安定させることは困難であり、局所的に薄い部分が発生し得る。よって、ゴムシート４３１、４３２によるＲＦＩＤタグ４０の保護が不十分となり、加硫時において、ゴムシート４３１、４３２が破損する可能性がある。
【００７３】
そこで、本実施形態においては、図１０〜１３に示されるように、ゴムシート４３１、４３２でＲＦＩＤタグ４０を挟み込む前に、スプリングアンテナ４２１内にゴムを配置する。より好ましくは、空気がなるべく残らないように、スプリングアンテナ内にゴムを充填する。なお、図１０〜１３の右側に示す図は、スプリングアンテナ４２１およびその周囲の横断面を示す図である。
【００７４】
図１０は、スプリングアンテナ４２１内にゴム４６を充填する前の状態を示す図、図１１は、スプリングアンテナ４２１内にゴム４６を充填した後の状態を示す図である。
ゴム４６は、スプリングアンテナ４２１の外周面と略同じ外径となるように埋め込まれる。そして、スプリングアンテナ４２１の外周面からゴム４６がはみ出ている場合には、その部分を拭き取って除去することが好ましい。すなわち、ゴム４６の外周面は、スプリングアンテナ４２１の外周面と略同一面となるように成形されることが好ましい。
なお、スプリングアンテナ４２１内にゴム４６を充填すると共に、スプリングアンテナ４２１の外周をゴム４６で薄く包み込んでもよい。一方、スプリングアンテナ４２１をゴム４６によって厚く包み込んでしまうと、スプリングアンテナ４２１の柔軟性が損なわれる上に、ＲＦＩＤタグ４０を挟み込んだ後のゴムシート４３１、４３２により形成される幅方向の寸法が大きくなってしまうため、好ましくない。
なお、スプリングアンテナ４２１の内周面と略同じ外径となるように、ゴム４６を埋め込んでもよい。ゴム４６の外周部は、スプリングアンテナ４２１の内周面〜外周面の範囲内に位置していることが望ましい。
【００７５】
ここで、スプリングアンテナ４２１の柔軟性を確保するために、ゴム４６としては、柔軟性を有するゴムを用いる。但し、作業性等を考慮して、ゴム４６として、ゴムシート４３１、４３２よりも高いモジュラスのゴムを用いることが好ましい。
なお、スプリングアンテナ４２１内に配置するゴム４６としては、好ましくは未加硫のゴムを用いる。ゴム４６、ゴムシート４３１、４３２を未加硫のゴムとし、同時に加硫することにより、ゴム４６、ゴムシート４３１、４３２、スプリングアンテナ４２１の一体性が高まる。また、ゴム４６、ゴムシート４３１、４３２は、同種のゴムとすることがより好ましい。
なお、スプリングアンテナ４２１の柔軟性を重視して、ゴム４６として、ゴムシート４３１、４３２よりも低いモジュラスのゴムを用いてもよい。また、略同一のモジュラスのゴム、同じ材質のゴムを用いてもよい。
なお、スプリングアンテナ４２１内に配置するゴム４６として、加硫後のゴムを用いてもよい。また、ゴム系接着剤、ゴム系充填剤などを用いることも可能である。柔軟性を確保しつつ、スプリングアンテナ４２１内に空気をなるべく残らないようにすることを考慮して、各種のゴム系材料を採用することができる。
ゴム４６の配置作業としては、各種の方法が採用可能であるが、例えば、注射器を用いてスプリングアンテナ４２１内にゴムを注入することも可能である。この場合、注射器を用いて、設定された適切な量のゴム４６を充填してもよい。また、ゴム４６を多めに充填後、スプリングアンテナ４２１の外周からはみ出た部分を拭き取ってもよい。
【００７６】
図１２は、スプリングアンテナ４２１にゴム４６が充填されたＲＦＩＤタグ４０を、ゴムシート４３１、４３２で挟み込む前の状態を示す図、図１３は、ゴムシート４３１、４３２で挟み込んだ後の状態を示す図である。
【００７７】
図１３に示されるように、本実施形態によれば、スプリングアンテナ４２１内に予めゴム４６が充填されていたため、ゴムシート４３１、４３２の間に空気溜まりが存在していない。よって、空気溜まりを気にしなくてもよいため、ゴムシート４３１、４３２でＲＦＩＤタグ４０を挟み込む工程も簡便となる。
また、スプリングアンテナ４２１内にゴム４６が配置されていることにより、スプリングアンテナ４２１、ゴム４６、ゴムシート４３１、４３２の一体性が高まり、タイヤが変形したときに、ゴムの動きにスプリングアンテナ４２１が追従する。よって、スプリングアンテナ４２１を有するＲＦＩＤタグ４０の耐久性も向上する。
【００７８】
また、本実施形態によれば、スプリングアンテナ４２１の外周部と、ゴムシート４３１、４３２の外表面との距離Ｌが安定する。すなわち、この距離Ｌとして、ゴムシート４３１、４３２の肉厚に近い距離が概ね確保される。よって、ＲＦＩＤタグ４０は、ゴムシート４３１、４３２によって十分保護される。
本実施形態においてゴムシート４３１、４３２で挟み込まれたＲＦＩＤタグ４０は、ビードフィラー２２等に配設され、その後生タイヤは加硫される。
【００７９】
本実施形態に係るタイヤによれば、上記（１）〜（５）に加えて以下の効果を奏する。
【００８０】
（６）本実施形態においては、通信機能を有する電子部品としてのＲＦＩＤタグ４０のスプリングアンテナ４２１内にゴム４６を配置する工程と、ゴム４６が配置されたスプリングアンテナ４２１を有するＲＦＩＤタグ４０を、ゴムシート４３１、４３２で挟み込む工程と、ゴムシート４３１、４３２で挟み込まれたＲＦＩＤタグ４０を、タイヤ１に配設する配設工程と、を備える。
これにより、スプリングアンテナ４２１内に空気４５が残ってしまうことがない。また、空気溜まりを気にしなくてもよいため、ゴムシート４３１、４３２でＲＦＩＤタグ４０を挟み込む作業も簡便となる。
また、スプリングアンテナ４２１の外周部と、ゴムシート４３１、４３２の外表面との距離Ｌが安定するため、ＲＦＩＤタグ４０は、ゴムシート４３１、４３２によって十分保護される。
【００８１】
なお、本発明のタイヤは、乗用車、ライトトラック、トラック、バス等の各種タイヤとして採用することができるが、特にトラック、バス等のタイヤとして好適である。
なお、本発明は上記実施形態に限定されず、本発明の目的を達成できる範囲で変形、改良などを行っても、本発明の範囲に含まれる。
【符号の説明】
【００８２】
１…タイヤ
１１…ビード
１２…トレッド
１３…サイドウォール
２１…ビードコア
２２…ビードフィラー
２３…カーカスプライ
２４…プライ本体
２５…プライ折り返し部
２５Ａ…折り返し端
２６…スチールベルト
２７…キャッププライ
２８…トレッドゴム
２９…インナーライナー
３０…サイドウォールゴム
３１…スチールチェーハー
３１Ａ…スチールチェーハーの端部
３２…リムストリップゴム
３４…パッド部材
３５…第１のパッド
３６…第２のパッド
３７…第１のゴムシート
３７Ａ…タイヤ径方向外側端
４０…ＲＦＩＤタグ
４１…ＲＦＩＤチップ
４２…アンテナ
４２１…スプリングアンテナ
４３…第２のゴムシート
４３１、４３２…ゴムシート
４６…ゴム
【図１】
2020055458.tif 000003
【図２】
2020055458.tif 000004
【図３】
2020055458.tif 000005
【図４Ａ】
2020055458.tif 000006
【図４Ｂ】
2020055458.tif 000007
【図４Ｃ】
2020055458.tif 000008
【図５】
2020055458.tif 000009
【図６】
2020055458.tif 000010
【図７】
2020055458.tif 000011
【図８】
2020055458.tif 000012
【図９】
2020055458.tif 000013
【図１０】
2020055458.tif 000014
【図１１】
2020055458.tif 000015
【図１２】
2020055458.tif 000016
【図１３】
2020055458.tif 000017
【手続補正書】
【提出日】令和1年8月2日(2019.8.2)
【手続補正１】
【補正対象書類名】特許請求の範囲
【補正対象項目名】全文
【補正方法】変更
【補正の内容】
【特許請求の範囲】
【請求項１】
ビードコアと、前記ビードコアのタイヤ径方向外側に延出するビードフィラーと、前記ビードコアから他方のビードコアに延び、前記ビードコアの周りで折り返されたカーカスプライと、前記ビードフィラーのタイヤ幅方向外側に配置されたパッド部材と、を備えるタイヤであって、
前記ビードフィラーと前記パッド部材の間において、前記折り返されたカーカスプライの折り返し端を覆う態様で配置されている第１のゴムシートを備え、
電子部品を被覆する第２のゴムシートが、前記第１のゴムシートのタイヤ径方向外側において、前記ビードフィラーと前記パッド部材の間に配置されており、
前記第１のゴムシートの厚みと、前記電子部品を被覆した前記第２のゴムシートにより形成される厚みは、向かい合う端部において、略同じ厚みである、タイヤ。
【請求項２】
ビードコアと、前記ビードコアのタイヤ径方向外側に延出するビードフィラーと、前記ビードコアから他方のビードコアに延び、前記ビードコアの周りで折り返されたカーカスプライと、前記ビードフィラーのタイヤ幅方向外側に配置されたパッド部材と、を備えるタイヤであって、
前記ビードフィラーと前記パッド部材の間において、前記折り返されたカーカスプライの折り返し端を覆う態様で配置されている第１のゴムシートを備え、
電子部品を被覆する第２のゴムシートが、前記第１のゴムシートのタイヤ径方向外側において、前記ビードフィラーと前記パッド部材の間に配置されており、
前記第１のゴムシートと、前記第２のゴムシートは、リング状に形成されている、タイヤ。
【請求項３】
ビードコアと、前記ビードコアのタイヤ径方向外側に延出するビードフィラーと、前記ビードコアから他方のビードコアに延び、前記ビードコアの周りで折り返されたカーカスプライと、前記ビードフィラーのタイヤ幅方向外側に配置されたパッド部材と、前記ビードコア周りで前記カーカスプライを覆うように配設された補強プライと、を備えるタイヤであって、
前記ビードフィラーと前記パッド部材の間において、前記折り返されたカーカスプライの折り返し端を覆う態様で配置されている第１のゴムシートを備え、
電子部品を被覆する第２のゴムシートが、前記第１のゴムシートのタイヤ径方向外側において、前記ビードフィラーと前記パッド部材の間に配置されており、
前記パッド部材は、
前記補強プライの端部のタイヤ径方向外側において、前記折り返されたカーカスプライの折り返し端のタイヤ幅方向外側を覆う第１のパッドと、
前記第１のパッドのタイヤ幅方向外側を覆う第２のパッドと、により構成されている、タイヤ。
【請求項４】
前記電子部品を被覆した前記第２のゴムシートは、前記第１のゴムシートのタイヤ径方向外側端から、前記ビードフィラーのタイヤ径方向外側端の間の領域に配置される、請求項１〜３のいずれか１項に記載のタイヤ。
【請求項５】
前記第１のゴムシートは、タイヤ幅方向内側から、前記折り返されたカーカスプライの折り返し端を覆う態様で配置されている、請求項１〜４のいずれか１項に記載のタイヤ。
【請求項６】
ビードコアと、前記ビードコアのタイヤ径方向外側に延出するビードフィラーと、前記ビードコアから他方のビードコアに延び、前記ビードコアの周りで折り返されたカーカスプライと、前記ビードフィラーのタイヤ幅方向外側に配置されたパッド部材と、を備えるタイヤであって、前記ビードフィラーと前記パッド部材の間において、タイヤ幅方向内側から、前記折り返されたカーカスプライの折り返し端を覆う態様で配置されている第１のゴムシートを備え、電子部品を被覆する第２のゴムシートが、前記第１のゴムシートのタイヤ径方向外側において、前記ビードフィラーと前記パッド部材の間に配置されている、タイヤを製造する製造方法であって、
前記ビードフィラーに前記第１のゴムシートを貼り付ける工程と、
前記第１のゴムシートが貼り付けられている前記ビードフィラーに、前記第１のゴムシートの貼り付け位置を基準として、前記電子部品を被覆した前記第２のゴムシートを貼り付ける工程と、を含むタイヤの製造方法。